(57)【特許請求の範囲】
【請求項１】
二つの橋台又は橋脚上に、それぞれ橋桁の端部となるコンクリートブロックを形成し、
該コンクリートブロックをそれぞれ橋台又は橋脚の上に固定するとともに、これらのコンクリートブロック間に第１のケーブルを張架し、
該第１のケーブルに沿って二つのコンクリートブロックと連続し、これら二つのコンクリートブロック間で圧縮力に抵抗するコンクリート部材を、該第１のケーブルに支持させて形成し、
前記コンクリート部材の下側に、前記コンクリートブロックのそれぞれに両端を係止して第２のケーブルを張架し、
該第２のケーブルと前記コンクリート部材との間に所定の間隔で圧縮方向の軸力を許容する支持部材を配置して、前記第２のケーブルと前記コンクリート部材とを連結し、
前記２つのコンクリートブロックの少なくとも一方について、橋桁の軸線方向の水平移動が可能となるように固定を解放し、これら二つコンクリートブロックを介して第２のケーブルの引張力を前記コンクリート部材の圧縮力によって抵抗させることを特徴とする張弦桁橋の構築方法。
【請求項２】
前記コンクリート部材とその下側に張架された第２のケーブルとを前記支持部材で連結した後、下方にたわみが生じている前記第２のケーブルに緊張力を導入して二つのブロック間のケーブル長を短縮し、前記支持部材を介して前記コンクリート部材を上方に押し上げる工程を含むことを特徴とする請求項１に記載の張弦桁橋の構築方法。
【請求項３】
前記第２のケーブルを張架した後、該第２のケーブルを埋め込むようにコンクリートの版状部材を形成し、前記支持部材の下端は、該版状部材を介して前記第２のケーブルと連結することを特徴とする請求項１に記載の張弦桁橋の構築方法。
【請求項４】
前記コンクリート部材は、下方にたわんだ状態の第１のケーブルを埋め込むとともに、少なくとも上面が平坦又は上方に凸状となるように形成することを特徴とする請求項１に記載の張弦桁橋の構築方法。
【請求項５】
二つの橋台又は橋脚上に、それぞれ橋桁の端部となるコンクリートブロックを形成し、
該コンクリートブロックをそれぞれ橋台又は橋脚の上に固定するとともに、これらのコンクリートブロック間にケーブルを張架し、
該ケーブルに支持され、上方に立ち上げられた支持部材上に、前記二つのコンクリートブロック間で連続し、これら二つのコンクリートブロック間で圧縮力に抵抗するコンクリート部材を形成し、
前記２つのコンクリートブロックの少なくとも一方について、橋桁の軸線方向の水平移動が可能となるように固定を解放し、これら二つコンクリートブロックを介して第２のケーブルの引張力を前記コンクリート部材の圧縮力によって抵抗させることを特徴とする張弦桁橋の構築方法。
【請求項６】
前記ケーブルを張架した後、該ケーブルを埋め込むようにコンクリートの版状部材を形成し、
前記支持部材は、該版状部材上に立設することを特徴とする請求項５に記載の張弦桁橋の構築方法。
【発明の詳細な説明】
【０００１】
【発明の属する技術分野】
本願に係る発明は、橋桁の一形式である張弦桁橋、すなわち両端部で支持される桁の下側に引張部材を設け、この引張部材と前記桁との間を圧縮部材で連結した張弦桁橋の構築方法に関するものである。
【０００２】
【従来の技術】
張弦桁橋は、桁の下側に引張部材が張設され、その両端が桁の両端部に連結された構造形式であり、桁の曲げ変形に対して引張部材がその軸引張力によって抵抗する。このため、桁自重を小さくすることができ、基礎構造が簡略化される等、経済的に優れた構造となる。このような張弦桁橋の架設は、まず桁を支保工上で形成したり、架設ガーダー等を用いて、あらかじめ形成された桁を架設する。そして、その下側に引張部材を取付けるという方法が一般に採用されている。
【０００３】
一方、コンクリートの桁を有する橋梁であって、桁の下側に引張部材を有するものに、上路式吊構造橋があり、特開平１１−３２３８４１号公報に開示されている。この構造形式は、橋梁の架設位置の両端部に２つの橋台を設け、これらの間に張架した吊材上に、支持部材を介して桁を支持するものである。この上路式吊構造橋は、プレキャストコンクリート部材を吊材に支持させて配列し、所定の位置でこれらを連結することによって構築することができるものであり、大きな架設機械等を用いることなく、低コストで構築できるという利点を有している。
【０００４】
【発明が解決しようとする課題】
しかしながら、上記のような上路式吊構造橋では、次のような問題点がある。
この構造形式の橋梁では、橋体の自重及び走行車輌による活荷重等ほとんどの荷重を吊材の引張力によって支持し、この引張力が両側の橋台に伝達される。このため、橋台はアースアンカー等によって地盤又は岩盤に強固に固定されている必要があり、強固な地盤又は岩盤が得られない状況での適用は難しい。
【０００５】
一方、特開２００１−１８２０１６号公報には、上記のような上路式吊構造橋において、上路桁を完成した後に吊材の両端部を上路桁と連結し、橋台に対する係止を解放して、吊材の反力を上路桁の軸方向力によって支持する形式、すなわち上述の張弦桁橋とすることが記載されている。しかし、この形式では、上路桁の端部に吊材を定着し、さらに桁自体を支持するための支承を設ける必要があり、これらのための補強等によって桁端部の構造が複雑となる。そして、このような桁端部に、橋台に支持されている吊材の反力を転移させることになり、作業が煩雑化するともに、桁端部のコンクリートを強固なものに仕上げるのが難しい場合が生じる。
【０００６】
本願に係る発明は、上記のような事情に鑑みてなされたものであり、その目的は、コンクリートからなる桁を備えた張弦桁橋を、大きな機械等を用いることなく、経済的かつ確実に構築することである。
【０００７】
【課題を解決するための手段】
上記課題を解決するために、請求項１に記載の発明は、  二つの橋台又は橋脚上に、それぞれ橋桁の端部となるコンクリートブロックを形成し、  該コンクリートブロックをそれぞれ橋台又は橋脚の上に固定するとともに、これらのコンクリートブロック間に第１のケーブルを張架し、  該第１のケーブルに沿って二つのコンクリートブロックと連続し、これら二つのコンクリートブロック間で圧縮力に抵抗するコンクリート部材を、該第１のケーブルに支持させて形成し、  前記コンクリート部材の下側に、前記コンクリートブロックのそれぞれに両端を係止して第２のケーブルを張架し、  該第２のケーブルと前記コンクリート部材との間に所定の間隔で圧縮方向の軸力を許容する支持部材を配置して、前記第２のケーブルと前記コンクリート部材とを連結し、  前記２つのコンクリートブロックの少なくとも一方について、橋桁の軸線方向の水平移動が可能となるように固定を解放し、これら二つコンクリートブロックを介して第２のケーブルの引張力を前記コンクリート部材の圧縮力によって抵抗させることを特徴とする張弦桁橋の構築方法を提供するものである。
【０００８】
この張弦桁橋の構築方法では、最初に橋桁の端部となるコンクリートブロックを形成するので、作業の障害となるものがほとんどなく、強固な桁端部を確実かつ効率良く構築することができる。そして、これらのコンクリートブロック間に第１のケーブルを張架し、これに支持させて上記コンクリートブロック間を連結するコンクリート部材を形成するので、支保工等が不要となる。
【０００９】
さらに、２つのコンクリートブロック間がコンクリート部材で連結された後に、上記２つのコンクリートブロック間に第２のケーブルを張架することにより、第２のケーブルに作用する引張力の反力は、上記コンクリート部材の軸圧縮力となり、橋台又は橋脚への負荷が大幅に増加するのを抑制することができる。そして、上記第２のケーブルとコンクリート部材とを、圧縮方向の軸力に耐え得る支持部材を介して連結することにより、第２のケーブルが下弦材として機能し、その引張力によってコンクリート部材の曲げ変形に抵抗する。
【００１０】
さらに、第２のケーブルの反力をコンクリートブロックを介してコンクリート部材に伝達することにより、コンクリートブロックの橋台又は橋脚への固定を開放することができ、地震時等の水平方向力以外は、橋台または橋脚の鉛直反力によって上記構造すなわち張弦桁を支持することができる。したがって、完成系においては、橋台又は橋脚に大きな水平方向力は作用せず、強固な地盤又は岩盤が得られない場合にも、信頼性の高い構造とすることができる。
【００１１】
請求項２に係る発明は、  請求項１に記載の張弦桁橋の構築方法において、前記コンクリート部材とその下側に張架された第２のケーブルとを前記支持部材で連結した後、下方にたわみが生じている前記第２のケーブルに緊張力を導入して二つのブロック間のケーブル長を短縮し、前記支持部材を介して前記コンクリート部材を上方に押し上げる工程を含むものとする。
【００１２】
この方法では、第１のケーブルに沿って形成したコンクリート部材が下方にたわんだ状態、すなわちサグが生じた状態であっても、第２のケーブルの緊張によりコンクリート部材を上方に押し上げ、上弦材又は上路桁として機能するコンクリート部材を水平又は所定の高さに設定することができる。
なお、上記コンクリート部材は変形にともなって生じる応力度を許容限度内とする必要があるが、薄い版状の部材とすることによって、大きな変形が生じても断面応力度の発生を小さく抑えることができる。
【００１３】
請求項３に係る発明は、  請求項１に記載の張弦桁橋の構築方法において、  前記第２のケーブルを張架した後、該第２のケーブルを埋め込むようにコンクリートの版状部材を形成し、前記支持部材の下端は、該版状部材を介して前記第２のケーブルと連結するものとする。
【００１４】
この方法では、下弦材が第２のケーブルとコンクリートの版状部材との合成部材となり、断面積が大きくなる。このため、剛性が大きくなり変形の小さい構造とすることができる。
【００１５】
請求項４に係る発明は、  請求項１に記載の発明において、前記コンクリート部材は、下方にたわんだ状態の第１のケーブルを埋め込むとともに、少なくとも上面が平坦又は上方に凸状となるように形成するものとする。
【００１６】
この方法では、張架した第１のケーブルは、サグによって下方にたわみを生じているが、この第１のケーブルを埋め込むように形成するコンクリート部材は、上面を平坦又は上方に凸状とすることにより、道路の縦断線形に対応した橋面を形成することが可能となる。
【００１７】
請求項５に係る発明は、  二つの橋台又は橋脚上に、それぞれ橋桁の端部となるコンクリートブロックを形成し、  該コンクリートブロックをそれぞれ橋台又は橋脚の上に固定するとともに、これらのコンクリートブロック間にケーブルを張架し、  該ケーブルに支持され、上方に立ち上げられた支持部材上に、前記二つのコンクリートブロック間で連続し、これら二つのコンクリートブロック間で圧縮力に抵抗するコンクリート部材を形成し、  前記２つのコンクリートブロックの少なくとも一方について、橋桁の軸線方向の水平移動が可能となるように固定を解放し、これら二つコンクリートブロックを介して第２のケーブルの引張力を前記コンクリート部材の圧縮力によって抵抗させることを特徴とする張弦桁橋の構築方法を提供するものである。
【００１８】
この張弦桁橋の構築方法では、橋桁の端部となるコンクリートブロックを最初に形成するので、作業性が良好となり強固な桁端部を確実かつ効率良く構築することができる。そして、2つのコンクリートブロック間にケーブルを張架し、これに立設した支持部材上にコンクリート部材を形成するので支保工等が不要となり、仮設構築物が簡略化されて効率の良い構築が可能となる。
【００１９】
また、2つのコンクリートブロック間を連結するコンクリート部材を形成した後は、上記コンクリートブロック部材の橋台又は橋脚に対する固定を解放したときに、ケーブルの反力はコンクリート部材の軸圧縮力となり、張弦桁として安定した構造となる。
【００２０】
請求項６に係る発明は、  請求項５に記載の発明において、前記ケーブルを張架した後、該ケーブルを埋め込むようにコンクリートの版状部材を形成し、  前記支持部材は、該版状部材上に立設するものとする。
【００２１】
この方法では、下弦材がいわゆる吊床版となって断面積が増大する。このため、剛性の大きい構造となり、変形が小さくなる。
【００２２】
【発明の実施の形態】
以下、本願に係る発明の実施の形態を図に基づいて説明する。
図１は、請求項１、請求項２又は請求項３に係る発明の実施によって構築することができる張弦桁橋の概略側面図である。
この張弦桁橋は、二つの橋台１，２間に架設されたものであり、沓を介して橋台上に支持されたコンクリートの端部ブロック３，４と、これらの端部ブロック間に張架された下弦ケーブル５と、この下弦ケーブル５上に立設された支持部材６と、前記端部ブロック３，４間で連続するように形成され、上記支持部材６によって支持されるコンクリートの上路桁７と、で主要部が構成されている。
【００２３】
上記橋台１，２は、橋を架設する位置の強固な地盤上に鉄筋コンクリートによって構築され、架設時にはアースアンカー８によって地盤９又は岩盤上に強固に固定される。橋桁が完成した後は、上記アースアンカー８は不要となり、撤去することもできるが、そのまま残してもよい。
【００２４】
上記端部ブロック３，４は、現場打ちコンクリートで形成してもよいし、工場等であらかじめ製作されたプレキャストコンクリートとしてもよい。これらの端部ブロック３，４には、図２に示すように、下弦ケーブル５を挿通するすることができる貫通孔と、上路桁７に埋め込まれるＰＣ鋼材１１を挿通する貫通孔が形成されており、これらの下弦ケーブル５及びＰＣ鋼材１１が定着されるため、定着端の支圧力に耐え得るように充分な鉄筋補強がなされている。
【００２５】
上記沓１２は、ゴム沓、鋳造された沓等を用いることができる。これらの沓１２は、橋の軸線と直角方向の水平な軸線回りに回転が可能に桁を支持するものであり、桁の両端部を支持する二つの沓のうち、一方は橋の軸線方向の移動を拘束し、他方は移動を許容するものとなっている。
【００２６】
上記下弦ケーブル５は、合成樹脂で被覆された鋼より線が用いられており、端部には、鋼からなる管状の定着体が圧着されている。この定着体の外周面には、ねじ山が形成され、ナット５ａを螺号してコンクリートの端部ブロック３に定着することができるようになっている。この下弦ケーブル５は、４本のケーブルからなり、図３に示すように、桁の幅方向に４本のケーブルが平行に配列されている。
【００２７】
上記上路桁７は、二つの端部ブロック３，４と連続するように形成された版状の部材であり、橋の軸線方向にプレストレスが導入されている。
上記支持部材６は、鋼管からなるものであり、下弦ケーブル５上に立設され、上路桁７を支持するものである。また、図３に示すように、橋の幅方向には上路桁７とともにトラス構造を形成している。
【００２８】
次に、請求項１、請求項２又は請求項３に記載の発明の一実施形態であって、上記張弦桁橋を構築する方法について説明する。
まず、図４（ａ）に示すように、橋を架設する位置の両側にそれぞれ橋台１，２を構築する。この橋台１，２は、大きな水平方向の力に抵抗できるように、アースアンカー８によって地盤９又は岩盤に固着する。次に、図４（ｂ）に示すように、これらの橋台１，２上に沓を介して端部ブロック３，４を形成し、これらを橋台１，２に固定する。端部ブロック３，４の固定は、図５（ａ）に示すように、沓１２の前方に鉛直方向の仮固定ブロック１３を介挿し、鉛直方向の仮固定鋼材１４で締め付ける。また、端部ブロック３の背面側には水平方向の仮固定ブロック１５を橋台１との間に介挿し、水平方向の仮固定鋼材１６によって締め付ける。なお、橋台１の後部は、仮固定鋼材１６の反力及び後で説明するＰＣ鋼材１１の反力がが作用したときに、橋台１の断面に過度の引張応力が生じないように、鉛直方向のＰＣ鋼材１７によって補強している。
【００２９】
上記端部ブロック３，４の固定が完了すると、図４（ｃ）に示すように、これらの端部ブロック３，４間にＰＣ鋼材１１（第１のケーブル）を張架する。このＰＣ鋼材には鋼より線が用いられ、端部には外周面にねじ山が形成された定着体が圧着されている。したがって、ＰＣ鋼材１１は図５（ｂ）に示すように、端部ブロック３の貫通孔に挿通し、上記定着体に螺号したナット１１ａによって、端部ブロック３に定着することができる。また、定着体の先端には鋼棒２０が接続され、この鋼棒２０の他端を橋台１に定着して、ＰＣ鋼材１１の張力の一部又は全部を橋台１に負担させる。
【００３０】
ＰＣ鋼材１１が張架されると、図６（ａ）に示すように、上路桁７（コンクリート部材）を形成するためのプレキャストコンクリート板２１を上記ＰＣ鋼材１１に懸垂支持させる。上記プレキャストコンクリート板２１は、図７に示すように上路桁の下側部分となる薄い部材であり、これを型枠として上部にさらにコンクリートを打ち足すことができるようにしている。そして、このプレキャストコンクリート板２１はＰＣ鋼材１１の軸線方向に移動が可能に係止するものとし、橋台１付近の作業性が良好な位置で支持させ、ＰＣ鋼材１１に沿って所定の位置まで移動させる。また、プレキャストコンクリート板２１の下側には、支持部材６を吊り下げるように取りつけた後に所定の位置に移動する。
【００３１】
ＰＣ鋼材１１に沿ってプレキャストコンクリート板２１の配置が完了すると、隣り合うプレキャストコンクリート板の間及びプレキャストコンクリート板と端部ブロック３，４との間にコンクリートを打設し、図６（ｂ）に示すように二つの端部ブロック３，４間で連続する上路桁７を形成する。
【００３２】
続いて、図６（ｃ）に示すように、二つの端部ブロック３，４間に下弦ケーブル５を張架する。下弦ケーブル５は、図８に示すように、端部ブロック３に形成された貫通孔に挿通し、端部の定着体に係止したナット１８によって端部ブロック３に定着する。この下弦ケーブル５は、図７に示すように、支持部材６の下端部に係止される。そして、図９（ａ）に示すように、端部で緊張力を導入することによって、下弦ケーブル５の下方への撓み、すなわちサグが減少し、支持部材６を介して上路桁７が上方に押し上げられる。これにより、上路桁７を所定の位置に設定する。なお、このとき、上路桁７は、上方に大きな変形を生じるが、長さに比べて充分に薄い部材となっており、断面に生じる応力度は小さく、有害なひび割れ等が生じないように考慮されている。
【００３３】
上路桁７が所定の位置に設定されると、図９（ｂ）に示すように、この上路桁７の上側部分のコンクリートを打設する。このとき、図３に示すように、２次ＰＣ鋼材１９を埋め込んでおき、コンクリートの硬化後、この２次ＰＣ鋼材１９を緊張することによって、上路桁７にプレストレスを導入する。その後、橋台１，２に係止していたＰＣ鋼材１１の延長部分の張力を解放し、端部ブロック３，４すなわち完成した桁の端部で、ＰＣ鋼材１１の張力の全てを負荷することにより、張弦桁が完成する（図９（ｃ））。
【００３４】
以上に説明した張弦桁橋の構築方法では、下弦ケーブルを緊張して上路桁を上方の押し上げる工程を含んでいるが、このとき上路桁は端部ブロック間で連続しているために、変形による応力度が発生する。これによって連続した上路桁に有害なひび割れが生じる場合には、下弦ケーブルの緊張による上路桁の変形を小さく制限しなければならず、上路桁を水平もしくは上方に凸状とすることができない場合が生じる。また、下弦ケーブルの緊張によって上路桁を上方に凸状となるように押し上げると、幅員の小さい桁では側方への安定性が悪くなる場合もある。このような場合には、次にように対処することができる。なお、この方法は請求項４に記載の発明の一実施形態である。
【００３５】
上路桁の下側部分となるプレストレストコンクリート板をＰＣ鋼材（第１のケーブル）に吊支持させた状態では、ＰＣ鋼材は下側にたわんだ状態となっており、これに支持されるプレキャストコンクリート板もサグによって、中央部で下側にたわんだ状態に配列される。しかし、図１１及び図１２に示すように、このプレキャストコンクリート板３１が備える側面板３１ａを、桁の全長にわったってほぼ同じ高さとし、プレキャストコンクリート板３１のほぼ水平な板状部分３１ｂが、支間中央部でＰＣ鋼材３３とともに下側にたわんだ状態でも上記側面板３１ａの上下縁が水平もしくは上方に凸状となって所定の縦断線形と対応するものとしておく。そして、このプレキャストコンクリート板３１を型枠として上路桁３５の上側部分のコンクリート３２を打設すると、支間の中央部と端部付近とで上路桁３５の版厚が異なるものとなるが、上面は所定の縦断線形に沿って水平又は上方に凸状に仕上げることができる。また、側面の形状は、図１０に示すように側面板３１ａによって版厚の変化は外観に現れず、上路桁の側面形状を縦断線形に沿ったものとすることができる。なお、上記方法によると、上路桁の版厚が、桁の中央部で厚くなるが、図１１に示すように円形又は多角形の断面を有する中空の埋め込み型枠３４を用いることによって、上路桁の自重の増加を抑えることができる。
なお、図１０から図１２に示す張弦桁橋において、支持部材３６、下弦ケーブル３７、端部ブロック３８，３９等は、図１に示す張弦桁橋と同じものを用いることができる。
【００３６】
図１３は、請求項１、請求項２又は請求項３に係る発明の実施によって構築することができる張弦桁橋の他の例を示す概略側面図である。
この張弦桁橋は、二つの橋台４１，４２上に沓を介して支持されており、端部ブロック４３，４４間に張架された下弦ケーブル４５と、この下弦ケーブル４５上に立設された支持部材４６と、前記端部ブロック４３，４４間で連続するように形成され、上記支持部材４６によって支持されるコンクリートの上路桁４７と、で主要部が構成されている。
【００３７】
この張弦桁橋では、図１に示すものと異なり、支持部材４６が桁の軸線方向に交互に傾斜しており、上路桁４７を上弦材、下弦ケーブル４５を下弦材とするワレントラスを形成している。これにより支持部材４６が斜材として機能し、せん断力に抵抗することができるので、桁全体の剛性が向上し、活荷重載荷時等における変形を小さく抑えることができる。
【００３８】
このような張弦桁橋の構築は、図１４に示すように、ＰＣ鋼材４８（第１のケーブル）を端部ブロック４３，４４間に張架した後、これに吊支持させてプレキャストコンクリート板４９を所定の位置に配列するときに、このプレキャストコンクリート板４９の下側に取りつける支持部材４６の形状を、下端に頂角を有する三角形状にしておく。そして、この頂角部に下弦ケーブル４５を係止することによって図１に示す張弦桁橋とほぼ同様に構築することができる。
【００３９】
次に、請求項５又は請求項６に係る張弦桁橋の構築方法及びこの方法によって構築される張弦桁橋について説明する。
図１５は、請求項５又は請求項６に係る発明の実施によって構築することができる張弦桁橋の概略側面図である。
この張弦桁橋は、二つの橋台５１，５２上に沓５８を介して支持されたコンクリートの端部ブロック５３，５４と、これらの端部ブロック間に吊支持されたコンクリートの下床版５５と、この下床版５５上に立設された支持部材５６と、前記端部ブロック５３，５４間で連続するように形成され、上記支持部材５６によって支持されるコンクリートの上路桁５７と、で主要部が構成されている。
【００４０】
上記橋台５１，５２、沓５８、端部ブロック５３、５４は、図１に示す張弦桁橋と同様のものを用いることができる。
【００４１】
上記下床版５５は、二つの端部ブロック５３，５４間に張架されたケーブル５９をコンクリートの板状の部材に埋め込んだものであり、いわゆる吊床版となっている。したがって、この下床版５５は、ケーブル５９の引張力によって支持されるものであり、厚さが長さに比べて充分に小さくなっているので、柔軟に変形しても有害なひび割れを生じないものとなっている。
【００４２】
上記支持部材５６は、鋼管をからなり、上記下床版５５上で桁の軸線方向に傾斜するように立設されたものであり、上路桁５７の重量及びこの上に載荷される荷重を支持することができる充分な強度を有するものである。
上記上路桁５７は、プレキャストコンクリート板を配列し、これらの相互間及び端部ブロック５３，５４との間にコンクリートを打設して、端部ブロック５３，５４間で連続するように形成されたものであり、桁の軸線方向にプレストレスが導入されている。
【００４３】
上記張弦桁橋は、次のような工程によって構築することができる。なお、この構築方法は、請求項５又は請求項６に係る発明の一実施形態である。
【００４４】
図１６（ａ）に示すように、橋を架設する位置の両側にそれぞれ構築された橋台５１，５２上に沓５８を介して端部ブロック５３，５４を形成し、これらを橋台５３，５４に固定する。端部ブロック５３，５４の固定は、図１７（ａ）に示すように、沓５８の前方に鉛直方向の仮固定ブロック６１を介挿し、鉛直方向の仮固定鋼材６２で締め付ける。また、端部ブロック５３の背面側には水平方向の仮固定ブロック６３を橋台５１との間に介挿し、水平方向の仮固定鋼材６４によって締め付ける。なお、橋台５１は必要に応じて、ＰＣ鋼材６５等によって補強する。
【００４５】
上記端部ブロック５３，５４の固定が完了すると、図１６（ｂ）に示すように、これらの端部ブロック５３，５４間にケーブル５９を張架する。このケーブル５９は、図１７（ｂ）に示すように、定着具６６によって端部ブロック５３に係止するとともに、その先端に鋼棒６７を接続し、この鋼棒６７を橋台５１に係止してケーブル５９の張力の一部又は全部を橋台５１に直接に負担させる。これにより、端部ブロック５３の仮固定構造に過度の負荷が作用するのを防止する。
【００４６】
ケーブル５９が張架されると、図１６（ｃ）に示すように、下床版を形成するためのプレキャストコンクリート板７１を上記ケーブル５９に懸垂支持させ、ケーブル５９に沿って順次移動して、ケーブルのほぼ全長にわたり、複数のプレキャストコンクリート板を所定の位置に配列する。これらのプレキャストコンクリート板７１には、図１６（ｃ）に示すように、あらかじめ支持部材５６を取りつけておく。
【００４７】
上記プレキャストコンクリート板７１が所定の位置に配列されると、隣り合うプレストレストコンクリート板の間及びプレキャストコンクリート板７１と端部ブロック５３，５４との間にコンクリートを打設し、二つの端部ブロック５３，５４間で連続する下床版５５（吊床版）を形成する。打設したコンクリートが硬化した後、埋め込んだ２次鋼材を緊張して下床版５５に適宜プレストレスを導入する。そして、図１６（ｄ）に示すように、支持部材５６上には仮設レール７２を設け、この仮設レール７２上を走行させて、上路桁５７を形成するためのプレキャストコンクリート板７３を順次配列する。
【００４８】
上記上路桁５７となるプレキャストコンクリート板７３の間及びプレキャストコンクリート板７３と端部ブロック５３，５４との間にもコンクリートを打設し、上路桁５７を二つの端部ブロック５３，５４間で連続したものとする。その後、図１６（ｅ）に示すように、ケーブル５９の両端に接続した鋼棒６７の橋台５１，５２に対する負荷を解放し、ケーブル５９の引張力よる反力を端部ブロック５３，５４に負荷させる。この反力は上路桁５７の軸力となり、両端で単純支持された張弦桁となる。
【００４９】
なお、上記方法では、下床版５５を端部ブロック間で連続する構造とした後、上路桁５７となるプレキャストコンクリート板７３の配列を行っているが、下床版を形成するためのプレキャストコンクリート板７１を配列した後、連結する前に上路桁とするプレキャストコンクリート板７３を配列し、その後下床版５５と上路桁５７とについてプレキャストコンクリート板の間のコンクリート打設を同時に又は続いて行うこともできる。
【００５０】
【発明の効果】
以上説明したように、本願に係る発明の張弦桁橋の構築方法では、橋桁の両端を支持する橋台又は橋脚上に、橋桁の端部となるコンクリートブロックを仮に固定し、これらの端部ブロック間に張架したケーブルに支持させて桁を構築するので、大規模な支保工等を必要とすることなく、桁を架設することができる。また、桁端部のコンクリートブロックを橋台又は橋脚から解放することにより、コンクリート部材の圧縮力とケーブルの引張力とが桁構造内でつり合った張弦桁橋を容易に構築することができる。
【００５１】
さらに、ケーブルに支持させて連続するコンクリート部材を形成した後、これらの両端部にケーブルを係止して、このケーブルの引張力の反力をコンクリート部材に負担させることにより、上記コンクリート部材を仮設時に支持するケーブルの橋台又は橋脚への拘束を解放することができ、容易に張弦桁を構築することが可能となる。
【図面の簡単な説明】
【図１】  請求項１、請求項２又は請求項３に係る発明の実施によって構築することができる張弦桁橋の概略側面図である。
【図２】  図１に示す張弦桁橋の桁端部の縦断面図である。
【図３】  図１に示す張弦桁橋の横断面図である。
【図４】  図１に示す張弦桁橋を構築する工程を示す概略図である。
【図５】  図４に示す工程における桁端部と橋台との状態を示す概略断面図である。
【図６】  図１に示す張弦桁橋を構築する工程を示す概略図である。
【図７】  図６に示す工程における桁断面図である。
【図８】  図６に示す工程における桁端部と橋台との状態を示す概略断面図である。
【図９】  図１に示す張弦桁橋を構築する工程を示す概略図である。
【図１０】  請求項４に係る発明の実施によって構築することができる張弦桁橋を示す概略側面図である。
【図１１】  図１０に示す張弦桁橋の構築途中及び完成時における桁断面図である。
【図１２】  図１０に示す張弦桁橋の構築途中及び完成時における桁断面図である。
【図１３】  請求項１、請求項２又は請求項３に係る発明の実施によって構築することができる張弦桁橋の他の例を示す概略側面図である。
【図１４】  図１３に示す張弦桁橋の構築途中の状態を示す概略側面図である。
【図１５】  請求項５又は請求項６に係る発明の実施によって構築することができる張弦桁橋の例を示す概略側面図である。
【図１６】  図１５に示す張弦桁橋を構築する工程を示す概略図である。
【図１７】  図１６に示す工程における桁端部と橋台との状態を示す概略断面図である。
【符号の説明】
１，２    橋台
３，４    端部ブロック
５    下弦ケーブル
６    支持部材
７    上路桁
８    アースアンカー
９    地盤
１１    ＰＣ鋼材
１２    沓
１３    仮固定ブロック
１４    鉛直方向の仮固定鋼材
１５    仮固定ブロック
１６    水平方向の仮固定鋼材
１７    鉛直方向のＰＣ鋼材
１８    ナット
１９    ２次ＰＣ鋼材
２０    鋼棒
２１，３１    プレキャストコンクリート板
３２    現場打設したコンクリート
３３，４８    ＰＣ鋼材
３４    埋め込み型枠
３５，４７    上路桁
３６，４６    支持部材
３７，４５    下弦ケーブル
３８，３９，４３，４４，５３，５４    端部ブロック
４１，４２，５１，５２    橋台
４９    プレキャストコンクリート板
５５    下床版
５６    支持部材
５７    上路桁
５８    沓
５９    ケーブル
６１，６３    仮固定ブロック
６２    鉛直方向の仮固定鋼材
６４    水平方向の仮固定鋼材
６５    ＰＣ鋼材
６６    定着具
６７    鋼棒
７１    下床版となるプレキャストコンクリート板
７２    仮設レール
７３    上路桁となるプレキャストコンクリート板
【図１】
0003877995.tif 000002
【図２】
0003877995.tif 000003
【図３】
0003877995.tif 000004
【図４】
0003877995.tif 000005
【図５】
0003877995.tif 000006
【図６】
0003877995.tif 000007
【図７】
0003877995.tif 000008
【図８】
0003877995.tif 000009
【図９】
0003877995.tif 000010
【図１０】
0003877995.tif 000011
【図１１】
0003877995.tif 000012
【図１２】
0003877995.tif 000013
【図１３】
0003877995.tif 000014
【図１４】
0003877995.tif 000015
【図１５】
0003877995.tif 000016
【図１６】
0003877995.tif 000017
【図１７】
0003877995.tif 000018